(57)【特許請求の範囲】
【請求項１】
ユーザの鼻で保持する鼻当て部と、
上記鼻当て部と連結された略棒状の柄でなり、上記ユーザの左右の耳に引っ掛けることにより保持する耳掛け部と、
上記柄の途中に設けられた筐体部と、
上記鼻当て部及び上記耳掛け部を介して上記ユーザに装着された際、上記ユーザの外耳道入口との間に所定距離が設けられるように上記筐体部の一面に取り付けられたスピーカユニットと、
上記筐体部によって生じさせた音を上記ユーザの外耳道入口近傍まで到達させるよう延長された管状ダクトと
を具え、
上記管状ダクトは、
上記筐体部から上記ユーザの外耳道入口近傍まで延長されると共に上記筐体部へ再度戻る略Ｕ字状に形成され、上記ユーザの上記外耳道入口近傍に放音用の孔部が設けられた
イヤースピーカ装置。
【請求項２】
上記筐体部は、
上記ユーザの頭部に装着された際、上記スピーカユニットの放音面をおおよそ上記ユーザの外耳道入口の方向へ向けさせる
請求項１に記載のイヤースピーカ装置。
【請求項３】
上記管状ダクトは、上記筐体部の内部空間に生じた音を上記ユーザの外耳道入口近傍まで到達させる
請求項１に記載のイヤースピーカ装置。
【請求項４】
ユーザの鼻で保持する鼻当て部が設けられた眼鏡型映像表示部と、
上記眼鏡型映像表示部の両端部から延設された略棒状の柄でなり、上記ユーザの左右の耳に引っ掛けることにより保持する耳掛け部と、
上記柄の途中に設けられた筐体部と、
上記鼻当て部及び上記耳掛け部を介して上記ユーザに装着された際、上記ユーザの外耳道入口との間に所定距離が設けられるように上記筐体部の一面に取り付けられたスピーカユニットと、
上記筐体部によって生じさせた音を上記ユーザの外耳道入口近傍まで到達させるよう延長された管状ダクトと
を具え、
上記管状ダクトは、
上記筐体部から上記ユーザの外耳道入口近傍まで延長されると共に上記筐体部へ再度戻る略Ｕ字状に形成され、上記ユーザの上記外耳道入口近傍に放音用の孔部が設けられた
眼鏡型映像表示装置。
【請求項５】
上記筐体部は、
上記ユーザの頭部に装着された際、上記スピーカユニットの放音面をおおよそ上記ユーザの外耳道入口の方向へ向けさせる
請求項４に記載の眼鏡型映像表示装置。
【請求項６】
上記管状ダクトは、上記筐体部の内部空間に生じた音を上記ユーザの外耳道入口近傍まで到達させる
請求項４に記載の眼鏡型映像表示装置。
【発明の詳細な説明】
【技術分野】
【０００１】
本発明はイヤースピーカ装置及び眼鏡型映像表示装置に関し、例えば眼鏡型のヘッドマウントディスプレイに適用して好適なものである。
【背景技術】
【０００２】
従来、ヘッドマウントディスプレイにおいては、眼鏡のように装着される構造のものが主流であり、眼鏡型映像表示部にコンテンツの映像を表示してユーザに目視確認させると共に、ヘッドホンを介して当該コンテンツの音声をユーザに聴取させるようになされたものが広く普及している（例えば、特許文献１参照）。
【特許文献１】特許第３１６３７０１号明細書（図１）
【発明の開示】
【発明が解決しようとする課題】
【０００３】
ところで、かかる構成のヘッドマウントディスプレイにおいては、眼鏡型映像表示部に写し出された映像についてはユーザの眼の前方にあるのに対し、ヘッドホンからユーザの耳に到達される音像については、ユーザの頭内に定位することになるため、映像と音像とが一致せず、当該ユーザに不自然な印象を与えてしまうという問題があった。
【０００４】
本発明は以上の点を考慮してなされたもので、自然な音像定位を与えながら高品質な再生音をユーザに聴取させ得るイヤースピーカ装置及び眼鏡型映像表示装置を提案しようとするものである。
【課題を解決するための手段】
【０００５】
かかる課題を解決するため本発明においては、ユーザの鼻で保持する鼻当て部と、鼻当て部と連結された略棒状の柄でなり、ユーザの左右の耳に引っ掛けることにより保持する耳掛け部と、柄の途中に設けられた筐体部と、鼻当て部及び耳掛け部を介してユーザに装着された際、ユーザの外耳道入口との間に所定距離が設けられるように筐体部の一面に取り付けられたスピーカユニットと、筐体部によって生じさせた音をユーザの外耳道入口近傍まで到達させるよう延長された管状ダクトとを設け、さらに管状ダクトは、筐体部からユーザの外耳道入口近傍まで延長されると共に筐体部へ再度戻る略Ｕ字状に形成され、ユーザの外耳道入口近傍に放音用の孔部が設けられるようにした。
【０００６】
これにより、鼻当て部と耳掛け部による３点支持によって装着状態を安定させながら、ユーザの外耳道入口よりも所定距離だけ前方に設けられた筐体部のスピーカユニットから出力する音声によって自然な音像定位を与えつつ、筐体部によって生じさせた音を管状ダクトを介してユーザの外耳道入口近傍から外耳道内の鼓膜へ直接到達させることができるため、充分なレベルでかつ高品質な再生音を当該ユーザに聴取させることができる。
【０００７】
また本発明においては、ユーザの鼻で保持する鼻当て部が設けられた眼鏡型映像表示部と、眼鏡型映像表示部の両端部から延設された略棒状の柄でなり、ユーザの左右の耳に引っ掛けることにより保持する耳掛け部と、柄の途中に設けられた筐体部と、鼻当て部及び耳掛け部を介してユーザに装着された際、ユーザの外耳道入口との間に所定距離が設けられるように筐体部の一面に取り付けられたスピーカユニットと、筐体部によって生じさせた音をユーザの外耳道入口近傍まで到達させるよう延長された管状ダクトとを設け、管状ダクトは、筐体部からユーザの外耳道入口近傍まで延長されると共に筐体部へ再度戻る略Ｕ字状に形成され、ユーザの外耳道入口近傍に放音用の孔部が設けられるようにした。
【０００８】
これにより、眼鏡型映像表示部に対する装着状態を鼻当て部と耳掛け部による３点支持によって安定させながら、ユーザの外耳道入口よりも所定距離だけ前方に設けられた筐体部のスピーカユニットから出力する音声によって眼鏡型映像表示部に表示する映像と一致した自然な音像定位を与えつつ、筐体部によって生じさせた音を管状ダクトを介してユーザの外耳道入口近傍から外耳道内の鼓膜へ直接到達させることができるため、充分なレベルでかつ高品質な再生音を当該ユーザに聴取させることができる。
【発明の効果】
【０００９】
本発明によれば、鼻当て部と耳掛け部による３点支持によって装着状態を安定させながら、ユーザの外耳道入口よりも所定距離だけ前方に設けられた筐体部のスピーカユニットから出力する音声によって自然な音像定位を与えつつ、筐体部によって生じさせた音を管状ダクトを介してユーザの外耳道入口近傍から外耳道内の鼓膜へ直接到達させることができるため、充分なレベルでかつ高品質な再生音を当該ユーザに聴取させることができ、かくして自然な音像定位を与えながら高品質な再生音をユーザに聴取させ得るイヤースピーカ装置を実現することができる。
【００１０】
また本発明によれば、眼鏡型映像表示部に対する装着状態を鼻当て部と耳掛け部による３点支持によって安定させながら、ユーザの外耳道入口よりも所定距離だけ前方に設けられた筐体部のスピーカユニットから出力する音声によって眼鏡型映像表示部に表示する映像と一致した自然な音像定位を与えつつ、筐体部によって生じさせた音を管状ダクトを介してユーザの外耳道入口近傍から外耳道内の鼓膜へ直接到達させることができるため、充分なレベルでかつ高品質な再生音を当該ユーザに聴取させることができ、かくして自然な音像定位を与えながら高品質な再生音をユーザに聴取させ得る眼鏡型映像表示装置を実現することができる。
【発明を実施するための最良の形態】
【００１１】
以下、図面について、本発明の一実施の形態を詳述する。
【００１２】
（１）イヤースピーカ付きヘッドマウントディスプレイの全体構成
図１及び図２において、１は全体として眼鏡型映像表示装置としてのイヤースピーカ付きヘッドマウントディスプレイを示し、イヤースピーカを構成するための左右の電気音響変換部２Ｌ及び２Ｒがヘッドマウントディスプレイ３の柄７及び８に対して一体に取り付けられた構造を有している。
【００１３】
このイヤースピーカ付きヘッドマウントディスプレイ１のヘッドマウントディスプレイ３は、ユーザの装着時に眼の前方に位置する眼鏡型の本体部４と、この本体部４の左右両端に設けられたヒンジ部５及び６を介して内側へ折り曲げ自在に取り付けられた１対の柄７、８とによって構成されている。
【００１４】
従ってイヤースピーカ付きヘッドマウントディスプレイ１としては、このようなヘッドマウントディスプレイ３における柄７、８の途中部分に対し、電気音響変換部２Ｌ及び２Ｒがそれぞれ一体的に取り付けられた構造でなり、ユーザに対して装着された際、電気音響変換部２Ｌ及び２Ｒがユーザの外耳道入口（図示せず）よりも所定距離だけ前方に位置するようになされている。
【００１５】
なお、電気音響変換部２Ｌ及び２Ｒは、必ずしも柄７、８に対して一体的に取り付けられている必要はなく、着脱自在に取り付けられていても良く、またユーザ毎に外耳道入口との距離を調整するべく柄７、８の長手方向へ沿ってスライド自在に取り付けられていても良い。
【００１６】
本体部４は、その前面１１が半透明部材としてのハーフミラー（又は着色ガラス）でなり、その上面１２、背面１３及び底面（図示せず）が不透明部材でなり、全体として中空筐型の構造を有している。
【００１７】
この本体部４の背面１３には、ユーザの左右一対の眼球と対向する位置に一対の接眼窓部１４Ａ及び１４Ｂが形成されていると共に、本体部４の底面には、ほぼ中央部に逆Ｖ字形でなる鼻当て部１５が形成されている。
【００１８】
なおイヤースピーカ付きヘッドマウントディスプレイ１では、本体部４の背面１３に形成された接眼窓部１４Ａ及び１４Ｂと、ハーフミラー構造の前面１１とを介して外の様子をユーザに対して目視確認させ得るようになされている。
【００１９】
またイヤースピーカ付きヘッドマウントディスプレイ１は、本体部４における左右両端のヒンジ部５及び６を介して内側へ折り曲げ自在に取り付けられた１対の柄７、８の先端にツル状の耳掛け部９及び１０が設けられており、その耳掛け部９及び柄７の内部を通って本体部４へ映像信号を伝送するための接続コード１８が取り付けられている。
【００２０】
因みに、この接続コード１８の取付場所としては、ここに限るものではなく、電気音響変換部２Ｌ又は２Ｒに対して直接取り付けられるようにしても良く、また本体部４に対して直接取り付けられるようにしても良い。
【００２１】
従ってイヤースピーカ付きヘッドマウントディスプレイ１では、この接続コード１８を介してＤＶＤ(Digital Versatile Disc)プレーヤ等の外部の電子機器から供給されるコンテンツの映像信号に基づく再生映像を接眼窓部１４Ａ及び１４Ｂの奥に設けられている液晶パネル（図示せず）に表示し、これを接眼窓部１４Ａ及び１４Ｂの接眼レンズ１４ＡＬ及び１４ＢＬを介してユーザに目視確認させ得るようになされている。
【００２２】
またイヤースピーカ付きヘッドマウントディスプレイ１は、液晶パネルに表示されるコンテンツの再生映像に対応した音声信号を外部の電子機器から入力し、その音声信号を再生音に変換し、これを電気音響変換部２Ｌ及び２Ｒを介してユーザに聴取させ得るようになされている。
【００２３】
この電気音響変換部２Ｌ及び２Ｒは、球体が垂直方向に４等分されたような形状でなる筐体部２１Ｌ及び２１Ｒを有し、その筐体部２１Ｌ及び２１Ｒは、装着時にユーザの外耳道方向へ向かう後方向に平面部分が形成されていると共に、左右方向の内側にも平面部分が形成されている。
【００２４】
筐体部２１Ｌ及び２１Ｒの後方向に形成された平面部分であるバッフル板２１ＡＬ及び２１ＡＲには、コンテンツの音声信号を再生音に変換するスピーカユニット２２Ｌ及び２２Ｒが取り付けられている。このスピーカユニット２２Ｌ及び２２Ｒは、電子機器から接続コード１８を介して供給されるコンテンツの音声信号に応じて、振動板を振動させることにより放音するようになされている。
【００２５】
また筐体部２１Ｌ及び２１Ｒのバッフル板２１ＡＬ及び２１ＡＲには、金属製でなり、所定太さを有する中空の部材が側面略Ｕ字状に曲げられた管状ダクト２３Ｌ及び２３Ｒが取り付けられている。この管状ダクト２３Ｌ及び２３Ｒは、その先端部分がユーザの外耳道入口へ向かってそれぞれ左右内側方向へ曲げられており、さらに先端部分のほぼ中央にそれぞれ孔部２３ＡＬ及び２３ＡＲが設けられている。
【００２６】
なお、イヤースピーカ付きヘッドマウントディスプレイ１は、図１及び図２に示したように電気音響変換部２Ｌ及び２Ｒがほぼ左右対称に構成されているため、以下では主に左側の電気音響変換部２Ｌを例に説明する。
【００２７】
実際上、イヤースピーカ付きヘッドマウントディスプレイ１は、図３の左側面図に示すように、柄７、８の耳掛け部９及び１０がユーザの耳に引っ掛けられると共に、本体部４の鼻当て部１５がユーザの鼻に押し当てられることにより装着され、本体部４をユーザの眼の正面に位置させると共に、電気音響変換部２Ｌをユーザの耳介１０１Ｌよりもやや前方に位置させるようになされている。
【００２８】
これによりイヤースピーカ付きヘッドマウントディスプレイ１の電気音響変換部２Ｌは、スピーカユニット２２Ｌから放射された中高音をユーザの外耳道入口１０２Ｌへ直接到達させると共に、当該ユーザの頬や耳介１０１Ｌ等で反射された反射音をも外耳道入口１０２Ｌへ到達させることができるため、一般的な据置型スピーカを介して聴取した場合と同様の、自然な音像定位を与え得るようになされている。
【００２９】
このときイヤースピーカ付きヘッドマウントディスプレイ１は、ユーザに対して正常に装着された際、スピーカユニット２２Ｌが耳介１０１Ｌ及び外耳道入口１０２Ｌのやや前方に位置し、管状ダクト２３Ｌの孔部２３ＡＬが外耳道入口１０２Ｌの近傍に位置するようになされている。
【００３０】
因みに管状ダクト２３Ｌは、その先端が略Ｕ字状に形成されているため、ユーザの外耳道内へ入り込まないようになされている。これによりイヤースピーカ付きヘッドマウントディスプレイ１は、当該ユーザがイヤースピーカ付きヘッドマウントディスプレイ１の装着時等に、誤って管状ダクト２３Ｌにより当該外耳道内を傷つけてしまうことを未然に防止し得るようになされている。
【００３１】
ここで図３におけるＱ１−Ｑ２断面を図４に示すように、筐体部２１Ｌはスピーカユニット２２Ｌが取り付けられた状態で管状ダクト２３Ｌを除き密閉された空間を形成しており、スピーカユニット２２Ｌに対して筐体部２１Ｌ及び当該管状ダクト２３Ｌにより共振回路を形成するようになされている。
【００３２】
また管状ダクト２３Ｌは、筐体部２１Ｌの内部から筐体部２１Ｌのバッフル板２１ＡＬを貫通してユーザの外耳道入口１０２Ｌの近傍に到達している。実際上、電気音響変換部２Ｌは、管状ダクト２３Ｌをバスレフダクトとして作用させることにより、全体としてバスレフ型のスピーカとして動作するようになされている。
【００３３】
ところで、一般的なバスレフ型スピーカでは、ダクトが筐体の内部のみに設けられ、外部へは延長しないようになされている。そこで、電気音響変換部２Ｌとの比較用に、図４の対応部分に同一符号を付した図５に示すような電気音響変換部３２Ｌを想定する。
【００３４】
この電気音響変換部３２Ｌ（図５）は、一般的なバスレフ型スピーカと同様に構成されており、電気音響変換部２Ｌの管状ダクト２３Ｌ（図４）に代えて、筐体部２１Ｌの内側のみに２本の管状ダクト３８Ｌ及び３９Ｌを有している。
【００３５】
この電気音響変換部３２Ｌの場合、スピーカユニット２２Ｌの位置を仮想的な音源の位置（以下、これを仮想音源位置と呼ぶ）ＰＭと見なしたときの、当該スピーカユニット２２Ｌから放射された中高音がユーザの鼓膜１０３Ｌに到達するまでの経路長ＥＭと、孔部３８ＡＬ及び３９ＡＬを仮想音源位置ＰＬ２と見なしたときの、管状ダクト３８Ｌ内及び３９Ｌ内を伝わり当該孔部３８ＡＬ及び３９ＡＬから放射された低音がユーザの鼓膜１０３Ｌに到達するまでの経路長ＥＬ２とを比較すると、経路長ＥＭ≒経路長ＥＬ２となっている。
【００３６】
ここで、電気音響変換部３２Ｌにより鼓膜１０３Ｌに到達する音の周波数特性を図６に示す。この図６に示すように、一般的なバスレフ型の電気音響変換部３２Ｌは、スピーカユニット２２Ｌから放射される、特性曲線ＳＭに示すような周波数特性でなる中高音と、管状ダクト３８Ｌ内及び３９Ｌ内を伝わり孔部３８ＡＬ及び３９ＡＬから放射される、特性曲線ＳＬ２に示すような周波数特性でなる低音とを合わせてユーザの鼓膜１０３Ｌまで到達させることになる。
【００３７】
これにより電気音響変換部３２Ｌは、特性曲線ＳＭ及び特性曲線ＳＬ２が合成された特性曲線ＳＧ２に示すように、特性曲線ＳＭにおける低音域の音圧レベルがある程度上昇された再生音をユーザに聴取させることができる。
【００３８】
一方、本発明によるイヤースピーカ付きヘッドマウントディスプレイ１の電気音響変換部２Ｌ（図４）では、スピーカユニット２２Ｌを仮想音源位置ＰＭとみなしたときの、当該スピーカユニット２２Ｌから放射された中高音がユーザの鼓膜１０３Ｌに到達するまでの経路長ＥＭと、孔部２３ＡＬを仮想音源位置ＰＬ１と見なしたときの、管状ダクト２３Ｌ内を伝わり当該孔部２３ＡＬから放射された低音がユーザの鼓膜１０３Ｌに到達するまでの経路長ＥＬ１とを比較すると、経路長ＥＭ＞経路長ＥＬ１となっている。
【００３９】
ここで、電気音響変換部２Ｌにより鼓膜１０３Ｌに到達する音の周波数特性を図７に示す。電気音響変換部２Ｌは、上述したようにバスレフ型スピーカの一種であるため、図６に示した場合と同様、スピーカユニット２２Ｌから放射される、特性曲線ＳＭに示すような周波数特性でなる中高音と、管状ダクト２３Ｌを伝わり孔部２３ＡＬから放射される、特性曲線ＳＬ１に示すような周波数特性でなる低音とを合わせてユーザの鼓膜１０３Ｌまで到達させることになる。
【００４０】
ところで、一般に音源からの距離と音圧レベルとは反比例の関係にある。ここで電気音響変換部２Ｌ（図４）と電気音響変換部３２Ｌ（図５）との経路長を比較すると、経路長ＥＬ１＜経路長ＥＬ２の関係となる。
【００４１】
すなわち電気音響変換部２Ｌ（図４）は、仮想音源位置ＰＬ１が電気音響変換部３２Ｌ（図５）の仮想音源位置ＰＬ２よりもユーザの外耳道入口１０２Ｌ近傍に位置しているため、管状ダクト２３Ｌ内を伝わり孔部２３ＡＬ（仮想音源位置ＰＬ１）から放射される低音を、電気音響変換部３２Ｌの場合よりも高い音圧レベルで鼓膜１０３Ｌまで到達させ得るようになされている。
【００４２】
すなわち、２つの特性曲線ＳＬ１及びＳＬ２を重ねた図８に示すように、管状ダクト２３Ｌによる低音の特性曲線ＳＬ１は、経路長ＥＬ１＜経路長ＥＬ２の関係により、管状ダクト３８Ｌ及び３９Ｌによる低音の特性曲線ＳＬ２と比較して全体的な音圧レベルが高くなる。
【００４３】
この結果、イヤースピーカ付きヘッドマウントディスプレイ１における電気音響変換部２Ｌは、特性曲線ＳＭ及び特性曲線ＳＬ１が合成された特性曲線ＳＧ１に示すように、特性曲線ＳＭにおける低音域の音圧レベルが電気音響変換部３２Ｌの場合（特性曲線ＳＧ２）よりも上昇された、比較的低い周波数帯まで十分な音圧レベルの再生音をユーザに聴取させ得るようになされている。
【００４４】
ここで特性曲線ＳＧ１と特性曲線ＳＧ２とを比較すると、特性曲線ＳＧ２では低音域側へ進むに連れて比較的急峻に音圧レベルが低下しているのに対して、特性曲線ＳＧ１では低音域側へ進むに連れて音圧レベルの低下度合いが緩やかになっていることが分かる。
【００４５】
すなわちイヤースピーカ付きヘッドマウントディスプレイ１の電気音響変換部２Ｌは、電気音響変換部３２Ｌと比較して、広い周波数帯域に渡って高い音圧レベルでなる、すなわち充分な低音域が含まれる良好な再生音をユーザの鼓膜１０３に伝達して聴取させ得るようになされている。
【００４６】
この場合、イヤースピーカ付きヘッドマウントディスプレイ１の電気音響変換部２Ｌは、図３及び図４に示したように、ユーザの外耳道入口１０２Ｌの近傍に管状ダクト２３Ｌの先端部を位置させるものの、当該外耳道入口１０２Ｌを完全には閉塞しない。
【００４７】
このためイヤースピーカ付きヘッドマウントディスプレイ１の電気音響変換部２Ｌは、スピーカユニット２２Ｌから放射する中高音及び管状ダクト２３Ｌの孔部２３ＡＬから放射する低音を合わせた再生音に加えて、ユーザの周囲で発生した音（以下これを周囲音と呼ぶ）を遮断することなく当該ユーザの鼓膜１０３Ｌまで到達させ聴取させ得るようになされている。
【００４８】
因みにイヤースピーカ付きヘッドマウントディスプレイ１の電気音響変換部２Ｌは、筐体部２１Ｌの内容積が１０［ｍｌ］、スピーカユニット２２Ｌの外径が２１［ｍｍ］、当該スピーカユニット２２Ｌの振動板における有効振動半径が８．５［ｍｍ］、振動系の等価質量が０．２［ｇ］、最低共振周波数ｆ０が３６０［Ｈｚ］、共振のＱ０が１．０とされている。
【００４９】
また管状ダクト２３Ｌ（図４）は、内径が１．８［ｍｍ］、当該管状ダクト２３Ｌの筐体部２１Ｌ内に位置する内部端２３ＢＬから孔部２３ＡＬまでの有効長が５０［ｍｍ］、バッフル板２１ＡＬの表面から孔部２３ＡＬまでの距離が約３５［ｍｍ］とされている。
【００５０】
ここで管状ダクト２３Ｌは、その側面がＵ字状に形成され、外端部の中央に孔部２３ＡＬが設けられているため、実質的に上半分及び下半分による２本のバスレフダクトを構成しているのと同じであり、当該管状ダクト８Ｌを１本の管状ダクトに換算した場合の内径（この場合は約２．５［ｍｍ］に相当する）が考慮された上で、その内径及び有効長が決定されている。
【００５１】
すなわち管状ダクト２３Ｌは、側面Ｕ字状に形成されたことにより、１本の管状ダクトとした場合に比べてその有効長を短く設定し得ると共に、デザイン性及び安全性を大きく向上させ得るようになされている。
【００５２】
このイヤースピーカ付きヘッドマウントディスプレイ１の電気音響変換部２Ｌ（図４）及び一般のバスレフ型スピーカの電気音響変換部３２Ｌ（図５）について、人間の耳介及び外耳道を模した測定用治具を用いて実際の周波数特性を測定したところ、図９に示すような特性曲線ＳＧ１１（電気音響変換部２Ｌの場合）及び特性曲線ＳＧ１２（電気音響変換部３２Ｌの場合）が得られた。
【００５３】
この図９では、図８に示した理論的な周波数特性と同様、およそ５００［Ｈｚ］以下の低音域において、電気音響変換部２Ｌの特性曲線ＳＧ１１が電気音響変換部３２Ｌの特性曲線ＳＧ１２よりも高い音圧レベルとなっている。すなわち、実際にイヤースピーカ付きヘッドマウントディスプレイ１の電気音響変換部２Ｌがユーザに対して充分な低音を含む良好な再生音を聴取させ得ることが示されている。
【００５４】
このようにイヤースピーカ付きヘッドマウントディスプレイ１は、ユーザの頭部１００に装着された際、スピーカユニット２２Ｌをユーザの外耳道入口１０２Ｌからやや離れた場所に位置させ、そのスピーカユニット２２Ｌから再生音の中高音を放射すると共に、筐体部２１Ｌから当該外耳道入口１０２Ｌの近傍まで延長されバスレフダクトとして作用する管状ダクト２３Ｌの孔部２３ＡＬから再生音の低音を放射することにより、自然な音像定位を与えながら充分な低音を含む高品質な再生音を当該ユーザに聴取させ得るようになされている。
【００５５】
なお、上述したイヤースピーカ付きヘッドマウントディスプレイ１の管状ダクト２３Ｌ及び２３Ｒ（図１）では、孔部２３ＡＬ及び２３ＡＲがユーザの外耳道入口１０２Ｌの近傍で、当該外耳道入口１０２Ｌの方とは逆方向へ向いた状態で設けられている。実際上、孔部２３ＡＬ及び２３ＡＲは、管状ダクト２３Ｌ及び２３Ｒの側面Ｕ字状に形成された先端部分の内側に設けられている。
【００５６】
この場合イヤースピーカ付きヘッドマウントディスプレイ１では、管状ダクト２３Ｌ及び２３Ｒの孔部２３ＡＬ及び２３ＡＲが外耳道入口に対して逆方向を向いていても、管状ダクト２３Ｌ及び２３Ｒの孔部２３ＡＬ及び２３ＡＲから放射される低音が指向性を持たないため、その低音がユーザの外耳道入口１０２Ｌに対して確実に到達し得る一方、孔部２３ＡＬ及び２３ＡＲから僅かに漏れて放射される中高音については、管状ダクト２３Ｌ及び２３Ｒの孔部２３ＡＬ及び２３ＡＲが外耳道入口１０２Ｌに対して逆方向を向き、かつ中高音が指向性を有しているため、ユーザの外耳道に殆ど到達することがない。
【００５７】
従ってイヤースピーカ付きヘッドマウントディスプレイ１では、再生音の中高音をスピーカユニット２２Ｌ及び２２Ｒから出力してユーザの外耳道入口１０２Ｌへ到達させると共に、管状ダクト２３Ｌ及び２３Ｒの孔部２３ＡＬ及び２３ＡＲから再生音の低音だけをユーザの外耳道入口に到達させる一方、僅かに漏れる中高音についてはユーザの外耳道入口１０２Ｌとは逆方向に向いた孔部２３ＡＬ及び２３ＡＲから指向性を持った状態で出力されるので、その漏れた中高音がユーザの外耳道入口１０２Ｌに到達することがなく、主として中高音が作用するユーザの音像定位に対して悪影響を与えずに済むようになされている。
【００５８】
これによりイヤースピーカ付きヘッドマウントディスプレイ１では、スピーカユニット２２Ｌ及び２２Ｒから出力される中高音により自然な音像定位を与えながら、管状ダクト２３Ｌ及び２３Ｒの孔部２３ＡＬ及び２３ＡＲを介して充分なレベルの低音を当該ユーザに聴取させ得るようになされている。
【００５９】
因みに、孔部２３ＡＬ及び２３ＡＲの位置としては、この場所に限られるものではなく、ユーザの外耳道入口１０２Ｌに対して逆方向を向きさえすれば管状ダクト２３Ｌ及び２３Ｒ上の何れの場所であってもよい。
【００６０】
（２）動作及び効果
以上の構成において、イヤースピーカ付きヘッドマウントディスプレイ１では、本体部４の鼻当て部１５と、柄７、８の耳掛け部９、１０の３点によって頭部１００に保持されるので、一般的なヘッドホンに比べて重たい本体部４を有する構造でありながら装着状態を一段と安定させることが出来る。
【００６１】
このような優れた装着状態のイヤースピーカ付きヘッドマウントディスプレイ１は、ユーザの頭部１００に装着された場合、電気音響変換部２Ｌの筐体部２１Ｌに設けられたスピーカユニット２２Ｌを当該ユーザの外耳道入口１０２Ｌよりもやや前方に位置させると共に、当該筐体部２１Ｌから後方に延長されバスレフダクトとして作用する管状ダクト２３Ｌの先端部分を外耳道入口１０２Ｌの近傍に位置させた状態で、所定の電子機器から供給されるコンテンツの音声信号に基づいた再生音を出力する。
【００６２】
このときイヤースピーカ付きヘッドマウントディスプレイ１の電気音響変換部２Ｌ（図４）では、スピーカユニット２２Ｌから放射される中高音がユーザの鼓膜１０３Ｌに到達するまでの経路長ＥＭよりも、管状ダクト２３Ｌの孔部２３ＡＬから放射される低音が当該鼓膜１０３Ｌに到達するまでの経路長ＥＬ１が短くなるため、特性曲線ＳＭ（図８）に示したような中高音に対して、特性曲線ＳＬ１に示したように比較的音圧レベルが高い低音を当該鼓膜１０３Ｌに到達させることができる。
【００６３】
従ってイヤースピーカ付きヘッドマウントディスプレイ１の電気音響変換部２Ｌは、スピーカユニット２２Ｌから放射された中高音を当該ユーザの頬や耳介１０１Ｌ等で反射させて鼓膜１０３Ｌに到達させることにより、一般的なスピーカを介して再生音を聴取する場合と似た特性の再生音を当該ユーザに聴取させ、音像が頭外に位置しているような自然な定位感を与えることができ、かくして本体部４の液晶パネルに表示されるコンテンツの再生映像と再生音の音像定位とを対応させ、ユーザに違和感を生じさせることがない。
【００６４】
さらにイヤースピーカ付きヘッドマウントディスプレイ１の電気音響変換部２Ｌは、管状ダクト２３Ｌがユーザの外耳道入口１０２Ｌ近傍まで延長されていることにより、特性曲線ＳＧ１（図８）及び特性曲線ＳＧ１１（図９）に示したような、低音域まで比較的充分な音圧レベルでなる高品質な再生音をユーザに聴取させることができる。
【００６５】
この場合、イヤースピーカ付きヘッドマウントディスプレイ１の電気音響変換部２Ｌは、管状ダクト２３Ｌがユーザの外耳道入口１０２Ｌ近傍まで延長されているため、一般的なバスレフ型の電気音響変換部３２Ｌ（図５）において、管状ダクト３８Ｌ及び３９Ｌから出力される特性曲線ＳＬ２（図６）のような低音と比較して、特性曲線ＳＬ１（図８）のような音圧レベルが大きい低音をユーザの鼓膜１０３Ｌに到達させることができ、その結果スピーカユニット２２Ｌの口径が比較的小さく外耳道入口１０２Ｌからやや離れていることにより不足しがちな低音を、十分な音圧レベルでユーザに聴取させることができる。
【００６６】
さらにイヤースピーカ付きヘッドマウントディスプレイ１は、低音の再生音量を上げるのではなく、低音の放射口である管状ダクト２３Ｌの孔部２３ＡＬを鼓膜１０３Ｌに近づけることによりユーザの鼓膜１０３Ｌ（図４）に充分な低音を到達させているため、例えば大口径のスピーカやサブウーファー等を用いて低音を再生するような場合と比較して、周囲に漏れる低音や振動をほぼ皆無にすることができる。
【００６７】
従って、例えばユーザが深夜にイヤースピーカ付きヘッドマウントディスプレイ１を介して再生音を聴取する場合等に、近隣や周囲への迷惑を殆ど気にすることなく、充分な低音が含まれる良好な再生音を堪能することができる。
【００６８】
また管状ダクト２３Ｌは、ユーザの外耳道入口１０２Ｌを塞ぐことがないため、再生音と共に、当該ユーザの周囲で発生した周囲音を遮断することなく鼓膜１０３Ｌに到達させて聴取させることができる。
【００６９】
これによりイヤースピーカ付きヘッドマウントディスプレイ１では、ユーザが歩行するときやスポーツを行うときなど、ユーザが周囲音を聴取する必要がある場合にも、良好な再生音に加えて確実に周囲音を聴取させることができる。
【００７０】
またイヤースピーカ付きヘッドマウントディスプレイ１は、従来の密閉型ヘッドホンのように、ユーザの耳介１０１Ｌ等を電気音響変換部２Ｌによって覆ってしまうことがないため、密閉型ヘッドホンを装着したユーザが感じるような閉塞感や蒸れといった不快感を与えることがない。さらにイヤースピーカ付きヘッドマウントディスプレイ１では、密閉空間を形成しないため、密閉型ヘッドホンを使用した場合に生じ得る、外耳道における共振周波数の変化を生じさせることもなく、ユーザに違和感を与えることもない。
【００７１】
そのうえイヤースピーカ付きヘッドマウントディスプレイ１は、低音の放射口である管状ダクト２３Ｌの孔部２３ＡＬを鼓膜１０３Ｌに近づけることによりユーザに十分な音量レベルの低音を聴取させ得るため、スピーカユニット２２Ｌの口径を不必要に大きくする必要が無く、筐体部２１Ｌの大きさを必要最小限に止めることができる。
【００７２】
これによりイヤースピーカ付きヘッドマウントディスプレイ１では、全体の大きさや重量を必要最小限に抑えることができるので、ユーザがイヤースピーカ付きヘッドマウントディスプレイ１を装着した際の大きさや重さによる煩わしさを極力抑えることができる。
【００７３】
以上の構成によれば、イヤースピーカ付きヘッドマウントディスプレイ１は、ユーザの頭部１００に対して３点支持により安定した状態で装着され得ることに加えて、電気音響変換部２Ｌのスピーカユニット２２Ｌを当該ユーザの外耳道入口１０２Ｌよりもやや前方に位置させると共に、管状ダクト２３Ｌの孔部２３ＡＬを外耳道入口１０２Ｌの近傍に位置させた状態で再生音を出力することにより、バスレフダクトとして作用する管状ダクト２３Ｌの孔部２３ＡＬから放射する低音を十分な音圧レベルで鼓膜１０３に到達させることができるので、自然な音像定位を与えながら比較的低音域まで充分な音圧レベルでなる良好な再生音をユーザに聴取させることができる。
【００７４】
（３）他の実施の形態
なお上述した実施の形態においては、管状ダクト２３Ｌが側面略Ｕ字状に形成され、孔部２３ＡＬを境に２本のバスレフダクトとして機能させるようにした場合について述べたが、本発明はこれに限らず、当該管状ダクト２３Ｌを１本や３本以上の管状ダクトによって構成するようにしても良い。
【００７５】
例えば図１０に示すように、イヤースピーカ付きヘッドマウントディスプレイ１の電気音響変換部２Ｌにおいては、筐体部２１Ｌからバスレフダクトとして機能する１本の管状ダクト９８Ｌが後方へ延長されるようにしても良く、さらに当該管状ダクト９８Ｌの先端部にユーザの外耳道入口１０２Ｌを傷つけないための保護部９９Ｌが取り付けられていても良い。この場合、保護部９９Ｌは、音を通しやすいスポンジ状の部材等で構成されることにより、周囲音を遮断せずユーザに聴取させることができる。
【００７６】
また上述した実施の形態においては、金属等の固い材料で形成された管状ダクト２３Ｌを用いるようにした場合について述べたが、本発明はこれに限らず、可撓性を有する樹脂等の柔らかい材料で形成された管状ダクト２３Ｌを用いるようにしても良い。
【００７７】
さらに上述した実施の形態においては、管状ダクト２３Ｌが筐体部２１Ｌのバッフル板２１ＡＬを貫通するように設けられた場合について述べたが、本発明はこれに限らず、当該管状ダクト２３Ｌが当該筐体部２１Ｌにおける他の側面を貫通するよう設けられていても良い。
【００７８】
さらに上述した実施の形態においては、イヤースピーカ付きヘッドマウントディスプレイ１がユーザの頭部１００（図３）に装着された際、スピーカユニット２２Ｌの放音面がほぼ後方向を向くようにした場合について述べたが、本発明はこれに限らず、例えばスピーカユニット２２Ｌの放音面がやや内側を向くようにしても良く、要は当該スピーカユニット２２Ｌの放音面がおおよそ外耳道入口１０２Ｌの方向に向き、放射する中高音が効率良く鼓膜１０３Ｌへ到達されれば良い。
【００７９】
さらに上述した実施の形態においては、イヤースピーカ付きヘッドマウントディスプレイ１が左右の電気音響変換部２Ｌ及び２Ｒを有し、２チャンネルの再生音を出力するようにした場合について述べたが、本発明はこれに限らず、例えば左側の電気音響変換部２Ｌのみを有し１チャンネルの再生音を出力するようにしても良い。
【００８０】
さらに上述した実施の形態においては、筐体部２１Ｌに中高音用のスピーカユニット２２Ｌを設けるようにした場合について述べたが、本発明はこれに限らず、例えば中音用及び高音用といった２つのスピーカユニットを１つの筐体部２１Ｌに設けて２ウェイスピーカとするなど、複数のスピーカユニットを筐体部２１Ｌに設けるようにしても良い。
【００８１】
さらに上述した実施の形態においては、球体を垂直方向に４等分したような形状でなる筐体部２１Ｌを用いるようにした場合について述べたが、本発明はこれに限らず、例えば立方体状や円柱状等の種々の形状であっても良く、要はバスレフ型スピーカのエンクロージャとして機能し得るようなほぼ密閉された空間を内部に有していれば良い。
【００８２】
さらに上述した実施の形態においては、管状ダクト２３Ｌ（図４）の内端部２３ＢＬの端部にエッジが残された状態の筐体部２１Ｌを用いるようにした場合について述べたが、本発明はこれに限らず、管状ダクト２３Ｌの内端部２３ＢＬの端部に対してＲ状の丸みが形成された筐体部２１Ｌを用いるようにしても良い。この場合、筐体部２１Ｌでは、スピーカユニット２２Ｌの背面側から押し出される空気がエッジに当って風切り音を発生するようなことがなく、ノイズのない低音だけを管状ダクト２３Ｌの孔部２３ＡＬから放射することができる。
【００８３】
さらに上述した実施の形態においては、筐体部２１Ｌ及び２１Ｒに対して管状ダクト２３Ｌ及び２３Ｒが一体に取り付けられているようにした場合について述べたが、本発明はこれに限らず、取り付け及び取り外し可能な構成としても良い。
【００８４】
例えば、図４との対応部分に同一符号を付した図１１に示すように、筐体部２１Ｌ１では、当該筐体部２１Ｌ１のバッフル板２１ＡＬに形成された凹形状のダクト保持部２１Ｌ２に対し、管状ダクト２３Ｌ１のダクト勘合部２３Ｌ２を嵌め合わせることにより取り付け、またダクト保持部２１Ｌ２とダクト勘合部２３Ｌ２との勘合状態を解消することにより、管状ダクト２３Ｌ１を取り外すことが可能となる。
【００８５】
さらに上述した実施の形態においては、孔部２３ＡＬから内端部２３ＢＬまでのダクト長がそれぞれ同じ長さに設定された管状ダクト２３Ｌを用いるようにした場合について述べたが、本発明はこれに限らず、それぞれ異なる長さのダクト長に設定された管状ダクトを用いるようにしても良い。
【００８６】
例えば、図３との対応部分に同一符号を付した図１２に示すように、孔部２３ＡＬから内端部２３ＢＬ１までの長さＬ１と、孔部２３ＡＬから内端部２３ＢＬ２までの長さＬ２とが異なる管状ダクト２３Ｌ３が設けられた筐体部２１Ｌ３では、長さＬ１のダクト部分と、長さＬ２のダクト部分とでは共振特性の位相ずれが生じ、その結果、孔部２３ＡＬから僅かに出力される中高域の周波数成分を相殺し、管状ダクト２３Ｌ３の孔部２３ＡＬから中高音が打ち消された低音だけを放射し得るようになされている。
【００８７】
さらに上述した実施の形態においては、スピーカユニット２２Ｌの後方すなわち筐体部２１Ｌの内部空間で生じた低音を管状ダクト２３Ｌにより出力する電機音響変換部２Ｌを用いるようにした場合について述べたが、本発明はこれに限らず、図４との対応部分に同一符号を付した図１３に示す電気音響変換部２０２Ｌのように、スピーカユニット２０７Ｌの前方で発生した中高音を、半球形状でなるカバー部２０４ＬＢに設けられた管状ダクト２０８Ｌの孔部２０８ＡＬを介して鼓膜１０３Ｌへ到達させるようにしても良い。
【００８８】
この電気音響変換部２０２Ｌの筐体部２０４Ｌは、スピーカユニット２０７Ｌの前面空間が管状ダクト２０８Ｌの孔部２０８ＡＬを除き密閉されており、スピーカユニット２０７Ｌに対してカバー部２０４ＬＢ及び当該管状ダクト２０８Ｌにより共振回路を形成するようになされている。
【００８９】
また管状ダクト２０８Ｌは、筐体部２０４Ｌの内部から筐体部２０４Ｌのカバー部２０４ＬＢを介してユーザの外耳道入口１０２Ｌの近傍に到達している。実際上、電気音響変換部２０２Ｌは、スピーカユニット２０７Ｌの前面から放射される主に中高音を、カバー部２０４ＬＢ及び管状ダクト２０８Ｌを介して集め、当該管状ダクト２０８Ｌの孔部２０８ＡＬからユーザの鼓膜１０３へダイレクトに到達させることにより、音漏れの少ない状態で充分な音声レベルの中高音をユーザに聴取させ得るようになされている。
【００９０】
なお、この半球形状のカバー部２０４ＬＢの構成としては、例えば四角錐や三角錐等の形状であっても良く、要はスピーカユニット２０７Ｌから出力された中高音を集められ、かつ外部に漏れない構造であれば良い。
【００９１】
また、スピーカユニット２０７Ｌの後方を閉塞した構造の半球状部２０４ＬＡが設けられた構造の筐体部２０４Ｌ（図１３）に限らず、図１４に示すように、スピーカユニット２０７Ｌの後方に貫通孔３０５〜３０８が形成されると共に、その貫通孔３０５〜３０８を内側から塞ぐようなスポンジ等でなる音響抵抗体３０９が取り付けられた半球状部３０４ＬＡを有する筐体部３０４Ｌを用いるようにしても良い。
【００９２】
この場合の筐体部３０４Ｌ（図１４）では、スピーカユニット２０７Ｌの後方側が貫通孔３０５〜３０８によって開放されたことによって当該スピーカユニット２０７Ｌの振動板が音声信号に対して追従し易くなると共に、貫通孔３０５〜３０８が形成されたことによる音質の低下を音響抵抗体３０９によって防ぐことができるので、高音質な中高音を管状ダクト２０８Ｌの孔部２０８ＡＬから放射することができる。
【００９３】
因みに、筐体部３０４Ｌ（図１４）では、音響抵抗体３０９が必ずしもなければならない訳ではなく、必要に応じて音響抵抗体３０９を取り付け、またその長さ及び厚さを変更したものを取り付けることにより音質を調整することが可能である。
【００９４】
さらに、スピーカユニット２０７Ｌの後方を閉塞した構造の半球状部２０４ＬＡが設けられた筐体部２０４Ｌ（図１３）に限らず、図１５に示すように、スピーカユニット２０７Ｌの前方に貫通孔４０５〜４０８が形成されると共に、その貫通孔４０５〜４０８を内側から塞ぐようなスポンジ等でなる音響抵抗体４０９及び４１０が取り付けられたカバー部４０４ＬＢを有する筐体部４０４Ｌを用いるようにしても良い。
【００９５】
この場合の筐体部４０４Ｌ（図１５）では、スピーカユニット２０７Ｌの前方側が貫通孔４０５〜４０８によって開放されたことによって当該スピーカユニット２０７Ｌの振動板が音声信号に対して追従し易くなると共に、貫通孔４０５〜４０８が形成されたことによる音質の低下を音響抵抗体４０９及び４１０によって防ぐことができるので、高音質な中高音を管状ダクト２０８Ｌの孔部２０８ＡＬから放射することができる。
【００９６】
因みに、筐体部４０４Ｌ（図１５）においても、音響抵抗体４０９及び４１０が必ずしもなければならない訳ではなく、必要に応じて音響抵抗体４０９及び４１０を取り付け、またその長さ及び厚さを変更したものを取り付けることにより音質を調整することが可能である。
【００９７】
さらに、カバー部２０４ＬＢの表面に管状ダクト２０８Ｌが設けられた筐体部２０４Ｌ（図１３）に限らず、図１６に示すように半球状部５０４ＬＡの表面に管状ダクト５０８Ｌが一体に設けられた筐体部５０４Ｌを用いるようにしても良い。
【００９８】
この場合、筐体部５０４Ｌ（図１６）は所謂ケルトン型のスピーカ装置と同様の構造を有することになり、スピーカユニット２０７Ｌの前方の空間に中高音を閉じ込める一方、スピーカユニット２０７Ｌの後方から所定の周波数帯域の低音だけを、管状ダクト５０８Ｌの孔部５０８ＡＬを介して放射させることができる。
【００９９】
因みに、筐体部５０４Ｌ（図１６）の構造としては、これに限るものではなく、スピーカユニット２０７Ｌの後方を半球状部によって閉塞し、カバー部２０４ＬＢの表面の何れかに管状ダクトを設けることによりケルトン型とすることも考えられる。
【０１００】
さらに、カバー部２０４ＬＢの表面に管状ダクト２０８Ｌが一体化した状態で形成された筐体部２０４Ｌ（図１３）に限らず、図１７に示すようにカバー部６０４ＬＢに形成された勘合部６０４ＬＢＳと、管状ダクト６０８Ｌの一方に形成された保持部６０８ＬＳとを相互に勘合することにより、当該管状ダクト６０８Ｌがカバー部６０４ＬＢに対して着脱自在に設けられた構成の筐体部６０４Ｌを用いるようにしても良い。
【０１０１】
これにより筐体部６０４Ｌ（図１７）では、ユーザにとって必要なときにのみ管状ダクト６０８Ｌが取り付けられた状態で使用され、ユーザにとって不必要なときには管状ダクト６０８Ｌが取り外された状態で使用されるようになるため、ユーザの使い勝手を大幅に向上させることができる。
【０１０２】
さらに、カバー部２０４ＬＢの内側であって、管状ダクト２０８Ｌの付け根部分にエッジが残った状態の筐体部２０４Ｌ（図１３）に限らず、図１８に示すようにカバー部７０４ＬＢの内側であって、カバー部７０４ＬＢと一体化された管状ダクト７０８Ｌの付け根部分にＲ状のラウンド部７１１が形成された筐体部７０４Ｌを用いるようにしても良い。
【０１０３】
この筐体部７０４Ｌ（図１８）では、スピーカユニット２０７Ｌの前面側から押し出される空気がエッジに当って風切り音を発生するようなことがなく、高音質な中高音だけを管状ダクト７０８Ｌの孔部７０８ＡＬから放射することができる。
【０１０４】
さらに、カバー部２０４ＬＢの表面に管状ダクト２０８Ｌが一体化した状態で形成された筐体部２０４Ｌ（図１３）に限らず、カバー部２０４ＬＢと管状ダクト２０８Ｌとを区別することなく、スピーカユニット２０７Ｌの前面側を包み込むような形状で先端に行くに連れて細い管状に形成された管状ダクトがバッフル板２０４ＡＬに取り付けられた構造の筐体部を用いるようにしても良い。
【０１０５】
さらに、孔部２０８ＡＬを中心としたカバー部２０４ＬＢの表面までのダクト長がそれぞれ同じ長さに設定された管状ダクト２０８Ｌに限らず、それぞれ異なる長さのダクト長に設定された管状ダクトを用いるようにしても良い。
【０１０６】
例えば、図１２との対応部分に同一符号を付した図１９に示すように、孔部８０８ＡＬから内端部８０８ＢＬ１までの長さＬ３と、孔部８０８ＡＬから内端部８０８ＢＬ２までの長さＬ４とが異なる管状ダクト８０８Ｌが設けられた筐体部８０４Ｌでは、長さＬ３のダクト部分と、長さＬ４のダクト部分とでは互いに共振特性の位相ずれが生じ、その結果、孔部８０８ＡＬから僅かに出力される中高域の周波数成分を相殺し、管状ダクト２０８Ｌ２の孔部８０８ＡＬから中高音が打ち消された低音だけを放射し得るようになされている。
【０１０７】
さらに上述した実施の形態においては、ヘッドマウントディスプレイ３の柄７及び８の途中に電気音響変換部２Ｌ及び２Ｒを一体に取り付けた構造のイヤースピーカ付きヘッドマウントディスプレイ３を適用対象とした場合について述べたが、本発明はこれに限らず、眼鏡やサングラスの柄の途中に電気音響変換部２Ｌ及び２Ｒを一体に取り付けた構造のものや、レンズのないフレームだけの眼鏡の柄の途中に電気音響変換部２Ｌ及び２Ｒを一体に取り付けた構造のものを適用対象としても良い。
【０１０８】
さらに上述した実施の形態においては、鼻当て部としての鼻当て部１５と、耳掛け部としての耳掛け部９及び１０と、筐体部としての電気音響変換部２Ｌ及び２Ｒと、スピーカユニットとしてのスピーカユニット２２Ｌ及び２２Ｒと、管状ダクトとしての管状ダクト２３Ｌ及び２３Ｒとによってイヤースピーカ装置及び眼鏡型映像表示装置を構成するようにした場合について述べたが、本発明はこれに限らず、その他種々の構成でなる鼻当て部と、耳掛け部と、筐体部と、スピーカユニットと、管状ダクトとによってイヤースピーカ装置及び眼鏡型映像表示装置を構成するようにしても良い。
【産業上の利用可能性】
【０１０９】
本発明は、ヘッドマウントディスプレイ以外にも、立体映像を目視させるための眼鏡型映像表示装置に利用することができる。
【図面の簡単な説明】
【０１１０】
【図１】イヤースピーカ付きヘッドマウントディスプレイの全体構成（１）を示す略線的斜視図である。
【図２】イヤースピーカ付きヘッドマウントディスプレイの全体構成（２）を示す略線的斜視図である。
【図３】イヤースピーカ付きヘッドマウントディスプレイの装着状態（１）を示す略線的側面図である。
【図４】イヤースピーカ付きヘッドマウントディスプレイの装着状態（２）を示す略線的上断面図である。
【図５】一般的なバスレフ型のイヤースピーカを示す略線的上断面図である。
【図６】従来のバスレフ型のイヤースピーカにおける周波数特性を示す略線図である。
【図７】イヤースピーカ付きヘッドマウントディスプレイにおける電気音響変換部の周波数特性を示す略線図である。
【図８】理論的な周波数特性を示す略線図である。
【図９】実測による周波数特性を示す略線図である。
【図１０】他の実施の形態における管状ダクトの構成例（１）を示す略線的斜視図である。
【図１１】他の実施の形態による管状ダクトの構成例（２）を示す略線的斜視図である。
【図１２】他の実施の形態による管状ダクトの構成例（３）を示す略線的斜視図である。
【図１３】他の実施の形態における電気音響変換部の構成を示す略線的上断面図である。
【図１４】他の実施の形態による筐体部の構成例（１）を示す略線的断面図である。
【図１５】他の実施の形態による筐体部の構成例（２）を示す略線的断面図である。
【図１６】他の実施の形態による筐体部の構成例（３）を示す略線的断面図である。
【図１７】他の実施の形態による管状ダクトの構成（５）を示す略線的斜視図である。
【図１８】他の実施の形態による管状ダクトの構成（６）を示す略線的斜視図である。
【図１９】他の実施の形態による管状ダクトの構成（７）を示す略線的斜視図である。
【符号の説明】
【０１１１】
１……イヤースピーカ付きヘッドマウントディスプレイ、２Ｌ、２Ｒ……電気音響変換部、３……ヘッドマウントディスプレイ、４……本体部、５、６……ヒンジ部、７、８……柄、９、１０……耳掛け部、１１……前面１１、１２……上面、１３……背面、１５……鼻当て部、２１Ｌ、２１Ｒ……筐体部、２２Ｌ、２２Ｒ……スピーカユニット、２３Ｌ、２３Ｒ……管状ダクト、２３ＡＬ、２３ＡＲ……孔部、１００……頭部、１０１Ｌ……耳介、１０２Ｌ……外耳道入口、１０３Ｌ……鼓膜。
【図１】
0004826455.tif 000002
【図２】
0004826455.tif 000003
【図３】
0004826455.tif 000004
【図４】
0004826455.tif 000005
【図５】
0004826455.tif 000006
【図６】
0004826455.tif 000007
【図７】
0004826455.tif 000008
【図８】
0004826455.tif 000009
【図９】
0004826455.tif 000010
【図１０】
0004826455.tif 000011
【図１１】
0004826455.tif 000012
【図１２】
0004826455.tif 000013
【図１３】
0004826455.tif 000014
【図１４】
0004826455.tif 000015
【図１５】
0004826455.tif 000016
【図１６】
0004826455.tif 000017
【図１７】
0004826455.tif 000018
【図１８】
0004826455.tif 000019
【図１９】
0004826455.tif 000020